(57)【特許請求の範囲】
【請求項１】
遊技盤の前面側の遊技領域を囲む金属製の内・外バンドが遊技盤の前面に取り付けられ、球を遊技領域の上部中央の方向に跳ね返す反動体には反動体の裏面から内部に窪む縦溝が設けられ、内バンドにおける反動体の側の端部と外バンドにおける反動体の側の端部とが反動体の裏側から縦溝に嵌め込まれて互いに接触し、盤面飾りが遊技盤の前面に取り付けられることによって反動体の遊技盤の前面に対する位置を固定し、導電性を有する合成樹脂からなる部品取付体には部品取付体の前面から前側に突出するバンド接触部が設けられ、バンド接触部の先端部にはスリットが設けられ、遊技盤の内バンドと対応する部分には前後方向に貫通する貫通孔が設けられ、バンド接触部が遊技盤の裏側から貫通孔を経由して遊技盤の前側に突出し、バンド接触部と内バンドとを互いに接続させるようにスリットが内バンドに嵌め込まれ、部品取付体が遊技盤の裏面に取り付けられかつ遊技盤の前面側から裏側に排出された球を下方に誘導する球通路を形成したことを特徴とする遊技盤の静電気防止装置。
【発明の詳細な説明】
【０００１】
【発明の属する技術分野】
本発明はパチンコ機の遊技主体である遊技盤において球と部品との静電荷列の異なる物質どうしの接触及び分離剥離に起因して発生する静電気を除去する遊技盤の静電気防止装置に関する。
【０００２】
【従来の技術】
パチンコ機に搭載された電子制御回路が静電気による悪影響を受けることがないように、金属球と合成樹脂との接触後の分離や剥離等で発生する静電気を除電することは周知である。例えば、特開平６−１５０５９号公報、特開平７−２４１１０号公報、特開平８−１９６７１１号公報等に開示されている。
【０００３】
【発明が解決しようとする課題】
しかし、稼動するパチンコ機において、遊技盤の球が飛び交う遊技領域で発生した静電気を遊技領域から遊技機枠側に逃がす経路は遊技盤の構成上難しいものである。例えば、遊技盤の前面である意匠盤面を構成する化粧シートとそれの貼付けられるベニヤのような遊技基板との間に導電性フィルムを挟み込んで静電気を除電することは考えられるけれども、化粧シートは貼付け後の剥がれ防止の観点から遊技基板よりもひと周り小さい形状になっている。よって、導電性フィルムも化粧シートと同様な形状に作らなければならない。このようなことから、遊技盤を遊技機枠の収納室に格納した場合に格納室を構成するリアプレートと呼ばれるような面積の広い金属部材に導電性フィルムを接続することができず、遊技領域から導電性フィルムに帯電した静電気は導電性フィルムから自然放電される以外に逃げ道がなく、導電性フィルムに帯電した静電気が遊技領域に打込まれた多数の遊技釘に接触する球に移動し、その球が入賞装置或いはアウト口を通って遊技盤の裏側に排出された場合に遊技盤の裏側に設けられたセット板や集合樋と呼ばれる合成樹脂製の球通路形成体により多くの静電気を発生させることとなり、この多量の静電気で球通路形成体に這わされた制御系統の電気配線より制御装置に静電気ノイズとして侵入するという問題点がある。
【０００４】
そこで、遊技盤の遊技領域における静電気を適切に除去することができる装置を提供するものである。
【０００５】
【課題を解決するための手段】
本発明に係る遊技盤の静電気防止装置は、遊技盤の前面側の遊技領域を囲む金属製の内・外バンドが遊技盤の前面に取り付けられ、球を遊技領域の上部中央の方向に跳ね返す反動体には反動体の裏面から内部に窪む縦溝が設けられ、内バンドにおける反動体の側の端部と外バンドにおける反動体の側の端部とが反動体の裏側から縦溝に嵌め込まれて互いに接触し、盤面飾りが遊技盤の前面に取り付けられることによって反動体の遊技盤の前面に対する位置を固定し、導電性を有する合成樹脂からなる部品取付体には部品取付体の前面から前側に突出するバンド接触部が設けられ、バンド接触部の先端部にはスリットが設けられ、遊技盤の内バンドと対応する部分には前後方向に貫通する貫通孔が設けられ、バンド接触部が遊技盤の裏側から貫通孔を経由して遊技盤の前側に突出し、バンド接触部と内バンドとを互いに接続させるようにスリットが内バンドに嵌め込まれ、部品取付体が遊技盤の裏面に取り付けられかつ遊技盤の前面側から裏側に排出された球を下方に誘導する球通路を形成したので、遊技盤の遊技領域で球に帯電した静電気が適切に除去できる。
【０００６】
【発明の実施の形態】
図１〜図３は一実施形態であって、図１は内・外バンド３；４と反動体５と第１部品取付体１２との接続構造を示し、図２は遊技盤１を分解して示し、図３は遊技盤１の外観を示す。
【０００７】
図３を参照し、遊技盤１について説明する。遊技盤１は前面である意匠盤面に中央円形開口を有する盤面飾り２を固定的に備え、盤面飾り２の中央円形開口の縁に沿って内バンド３と外バンド４とを設け、内・外バンド３；４の合わせられる部分にゴムのような弾性を有する反動体５を備え、反動体５と反対側に位置する内バンド３の先端には戻り球防止弁と呼ばれるようなステンレスのような金属製の防止弁６を備える。盤面飾り２の中央円形開口部で囲まれた内側における遊技盤１の意匠盤面が球の飛び交う遊技領域１ａである。遊技盤１には遊技領域１ａの最下部にアウト口７を備える。反動体５は図外の球発射装置から防止弁６を押し開けて遊技領域１ａに発射された球が外バンド４に沿ってそのままアウト口７の方向に行くのを防止するとともに当該球を遊技領域１ａの上部中央の方向に跳ね返すものである。防止弁６は球発射装置から防止弁６を押し開けて遊技領域１ａに発射された球が再び遊技領域１ａから内・外バンド３；４間の発射球通路に戻るのを防止するものである。
【０００８】
図２を参照し、遊技盤１の構成部品について説明する。盤面飾り２は反動体５周りの部分を例示する。内・外バンド３；４はステンレスのような１本の帯体で作るとその長さが２ｍ程度と長尺となり、このような長尺な金属性の帯体を渦巻き状に保形しつつ遊技盤１に取り付ける機械の構造が複雑になるというような関係から、内・外バンド３；４は２つに分割されていて遊技盤１に図外の割ピンのような固定具で取り付けられる。内バンド３は一端部が盤面飾り２の内部を貫通して反動体５まで延設される。この内バンド３の延設部３ａと対応する遊技盤１の部分周りには複数の貫通孔８が形成される。反動体５は裏面より内部に窪む縦溝１０と前後方向に貫通する取付孔１１とを備える。遊技盤１の裏面に取り付けられる第１部品取付体１２はバンド接触部１３を備え、バンド接触部１３は先端部にスリット１４を備える。盤面飾り２は上部の裏面に反動支柱１５を備える。
【０００９】
そして、反動体５の縦溝１０が内・外バンド３；４を弾性下で挟む格好で内・外バンド３；４に嵌め込まれて、反動体５が内・外バンド３；４に接触する。盤面飾り２の反動支柱１５が反動体５の取付孔１１に挿入されて、盤面飾り２が遊技盤１の意匠盤面に取り付けられることによって、内バンド３の延設部３ａが盤面飾り２で被覆される。第１部品取付体１２のバンド接触部１３が裏側より遊技盤１の貫通孔８を経由し、スリット１４が内バンド３を弾性下で挟む格好で内バンド３に嵌め込まれて、第１部品取付体１２が内バンド３に接触する。また、第１部品取付体１２と合成樹脂よりなる第２・第３部品取付体１６；１７は遊技盤１の裏面に取り付けられることによって、遊技盤１との間に遊技盤１の意匠盤面側から裏側に排出された球を下方に誘導する球通路を形成するとともに互いに接続する。内・外バンド３；４は連結金具１８で接続される。防止弁６は基部１９より内バンド３側に突出した部分６ａが基部１９を遊技盤１に取り付けることによって内バンド３に接触する。アウト口７は遊技盤１に取り付けられることによって内バンド３に接触する。盤面飾り２や第１〜第３部品取付体１２；１６；１７を構成する合成樹脂は導電性を有する。
【００１０】
本実施形態の構造によれば、図１に示すように、分割を形成された金属製の内・外バンド３；４が反動体５の縦溝１０に取り込まれることによって互いに接触するので、球に帯電していた静電気は球が内・外バンド３；４に接触することによって内・外バンド３；４に移動する。また、図２において、内バンド３がバンド接触部１３のスリット１４に取り込まれることによって、内バンド３と第１部品取付体１２とが互いに接触し、連結金具１８が内・外バンド３；４に取り付けられることによって内・外バンド３；４が連結金具１８を介して互いに接続し、第１〜第３部品取付体１２；１６；１７が遊技盤１に取り付けられることによって互いに接続し、アウト口７が遊技盤１に取り付けられることによって内バンド３に接触する構造であるので、アウト口７に取り込まれる球に帯電していた静電気は球がアウト口７に接触することによってアウト口７から内バンド３を経由して第１部品取付体１２に移動する一方、遊技盤１の裏側の球通路を流下する球に帯電していた静電気は球が第１部品取付体１２に接触することによって第１部品取付体１２に移動する。従って、内・外バンド３；４または第１〜第３部品取付体１２；１６；１７又は盤面飾り２の何れかを図外の遊技機枠に設けられた金属製のリアプレートと呼ばれるような機構枠に接続することによって、遊技盤１の遊技領域１ａ及び遊技盤１の裏側の球通路における球に帯電した静電気をリアプレートに移動し、リアプレートより大気中に自然放電させることができる。
【００１１】
内バンド３の延設部３ａは内バンド３と別に形成した金属板を内バンド３に接続しても同様に適用できる。また、第１〜第３部品取付体１２；１６；１７の何れかにアース線を接続して遊技盤１の遊技領域１ａ及び遊技盤１の裏側の球通路における球に帯電した静電気を大地に放電してもよい。
【図面の簡単な説明】
【図１】  実施形態の反動体周りを示す正面図。
【図２】  実施形態の遊技盤を示す分解斜視図。
【図３】  実施形態の遊技盤の外観を示す斜視図。
【符号の説明】
１  遊技盤
１ａ  遊技領域
２  盤面飾り
３  内バンド
４  外バンド
５  反動体
【図１】
0004112216.tif 000002
【図２】
0004112216.tif 000003
【図３】
0004112216.tif 000004